(57)【要約】【課題】交換作業を行う際に懸念される排泄物由来の不快な臭気が低減されたパンツ型着用物品を提供すること。【解決手段】パンツ型着用物品１は、着用者の腹側から股間部を介して背側に延びる縦方向Ｘとこれに直交する横方向Ｙとを有すると共に、着用者の腹側に配される腹側部Ａ及び背側に配される背側部Ｃ並びにそれらの間に位置する股下部Ｂを有し、一対のサイドシール部Ｓ，Ｓ、ウエスト開口部ＷＨ及び一対のレッグ開口部ＬＨ，ＬＨが形成されている。ウエスト開口部ＷＨの開口縁部を含む、腹側部Ａ又は背側部Ｃにおける着用者の腰周りに対応するウエスト域１０の外表面又は内表面に、香料を含む。【選択図】図１
2018102612.tif 000002
【特許請求の範囲】
【請求項１】
着用者の腹側から股間部を介して背側に延びる縦方向とこれに直交する横方向とを有すると共に、着用者の腹側に配される腹側部及び背側に配される背側部並びにそれらの間に位置する股下部を有し、該腹側部及び該背側部それぞれの縦方向に沿う両側縁部どうしが接合されて一対のサイドシール部、ウエスト開口部及び一対のレッグ開口部が形成されているパンツ型着用物品であって、
前記ウエスト開口部の開口縁部を含む、前記腹側部又は前記背側部における着用者の腰周りに対応するウエスト域の外表面又は内表面に、香料を含むパンツ型着用物品。
【請求項２】
前記腹側部における前記ウエスト域の内表面に前記香料を含む請求項１に記載のパンツ型着用物品。
【請求項３】
前記香料が、尿臭成分に起因するヒトの嗅覚受容体の活性化を阻害する物質を含む請求項１又は２に記載のパンツ型着用物品。
【請求項４】
前記香料が、ｐ−クレゾール又は２−メトキシ−４−ビニルフェノールに起因するヒトの嗅覚受容体の活性化を阻害する物質を含む請求項３に記載のパンツ型着用物品。
【請求項５】
前記嗅覚受容体が、ＯＲ９Ｑ２、ＯＲ１０Ｇ４、ＯＲ１０Ｇ７及びＯＲ２Ｗ１のいずれかである請求項３又は４に記載のパンツ型着用物品。
【発明の詳細な説明】
【技術分野】
【０００１】
本発明は、パンツ型使い捨ておむつ等の、ウエスト開口部及び一対のレッグ開口部を着用前から具備するパンツタイプの着用物品に関する。
【背景技術】
【０００２】
従来、パンツ型使い捨ておむつとしては、液保持性の吸収体を具備する吸収性本体と、該吸収性本体の非肌対向面側に配された外装体とを備え、着用者の腹側に配される腹側部及び背側に配される背側部それぞれの両側縁部どうしが接合されて一対のサイドシール部、ウエスト開口部及び一対のレッグ開口部が形成されているものが知られている。この外装体は通常、そのほぼ全域にわたって外層シートと内層シートとが積層された２層構造になっており、また、腹側部及び背側部における両シート間には弾性部材が着用者の前後方向（縦方向）と直交する方向（横方向）に伸長状態で固定され、その弾性部材の伸縮力によってその配置部位に伸縮性が付与されている。
【０００３】
また、使い捨ておむつ、生理用ナプキン等の吸収性物品を賦香して、その香気によって吸収性物品から生じる尿等の排泄物由来の臭気をマスキングし、あるいは気分転換やリラックス感を図る技術が知られている。例えば特許文献１には、使い捨ておむつの外側表面（非肌対向面）を形成する裏面シートを、着用者の肌に近い順に開孔フィルム層と不織布層との２層構造とし、これら両層間に、香料で満たされたマイクロカプセルを含むバインダー層を介在配置させることが記載されている。特許文献１によれば、斯かる構成のおむつの着用時において、着用者の体圧などによってマイクロカプセルが破壊されて香料が放出されることで、臭気がマスキングあるいは吸収されるとされている。
【０００４】
特許文献２には、着用時のみならず使用後の廃棄時においても臭気に対する消臭効果を発揮し得る展開型使い捨ておむつとして、おむつの背側部における一対のファスニングテープ間に、着用者の前後方向と直交する幅方向に弾性伸縮する背側伸縮シートを配置し、その背側伸縮シートに消臭剤を含有させたものが記載されている。特許文献２によれば、展開型使い捨ておむつの廃棄時の形態は、表面シートが内側になるように且つファスニングテープを有する背側部分が外側となるように丸め若しくは折り畳んだ状態で、その外面に両ファスニングテープを固定する形態が採用されることが多いところ、斯かる廃棄時の形態において、おむつ内に吸収された排泄物由来の臭気は、おむつの背側部の両ファスニングテープに挟まれた部分を通過するため、この部分に消臭剤を配置したとされている。
【先行技術文献】
【特許文献】
【０００５】
【特許文献１】特表２０００−５１３６２７号公報
【特許文献２】特開２０１０−１５４９２８号公報
【発明の概要】
【発明が解決しようとする課題】
【０００６】
パンツ型使い捨ておむつの着用者の保護者あるいは介護者などから、おむつの交換時における尿臭などの不快な臭気を低減することが要望されている。特許文献１及び２記載の賦香された使い捨ておむつは何れも、着用時あるいは廃棄時における臭気の低減を主たる課題とし、斯かる課題を解決するべく、着用者の体圧がかかったときに香気が揮散されるように積層構造の内部に香料が施された形態（特許文献１）、あるいは背側部のファスニングテープ間に香料が施された形態（特許文献２）を採用したものであって、前記要望を特段考慮して構成されたものではなく、斯かる形態が採用されたパンツ型使い捨ておむつ
では前記要望に十分に応えられないおそれがある。即ち、パンツ型使い捨ておむつの交換作業を行う場合、その作業者は通常、着用状態のおむつの腹側部の外表面と対面しつつ、おむつ下げおろす作業を行うため、例えば特許文献２に記載されているように、おむつの背側部に香料が施されている場合には、その背側部の香料の香気が、腹側部の外表面と対向している作業者の鼻に到達するよりも前に、腹側部あるいは股下部から放出された排泄物由来の臭気が作業者の鼻に到達し、その結果、作業者は不快な気分での交換作業を余儀なくされることになる。また、特許文献１に記載されているような、加圧によって香気を揮散するタイプの香料がおむつにおける積層構造内に施された形態においては、その内包された香料の香気がおむつの交換作業時にタイムリーに揮散されるとは限らず、やはり作業者が嗅ぐ不快な臭気を低減することは容易ではない。
【０００７】
従って本発明の課題は、交換作業を行う際に懸念される排泄物由来の不快な臭気が低減されたパンツ型着用物品を提供することに関する。
【課題を解決するための手段】
【０００８】
本発明は、着用者の腹側から股間部を介して背側に延びる縦方向とこれに直交する横方向とを有すると共に、着用者の腹側に配される腹側部及び背側に配される背側部並びにそれらの間に位置する股下部を有し、該腹側部及び該背側部それぞれの縦方向に沿う両側縁部どうしが接合されて一対のサイドシール部、ウエスト開口部及び一対のレッグ開口部が形成されているパンツ型着用物品であって、前記ウエスト開口部の開口縁部を含む、前記腹側部又は前記背側部における着用者の腰周りに対応するウエスト域の外表面又は内表面に、香料を含むパンツ型着用物品である。
【発明の効果】
【０００９】
本発明によれば、交換作業を行う際に懸念される排泄物由来の不快な臭気が低減されたパンツ型着用物品が提供される。
【図面の簡単な説明】
【００１０】
【図１】図１は、本発明のパンツ型着用物品の一実施形態であるパンツ型使い捨ておむつの一例を模式的に示す斜視図である。
【図２】図２は、図１に示すおむつの肌対向面即ち表面シート側を一部破断して模式的に示す平面図であり、各部の弾性部材を伸張させて平面状に拡げた展開状態における平面図である。
【図３】図３は、図１に示すおむつの模式的な分解斜視図である。
【図４】図４（ａ）は、目的の臭い分子が嗅覚受容体を活性化させる機序を示す模式図であり、図４（ｂ）は、嗅覚受容体アンタゴニズムによって、目的の臭い分子に対する受容体の活性化が阻害される機序を示す模式図である。
【発明を実施するための形態】
【００１１】
以下、本発明のパンツ型着用物品を、その好ましい一実施形態であるパンツ型使い捨ておむつの一例に基づき図面を参照して説明する。図１〜図３には、本実施形態のパンツ型使い捨ておむつ１が示されている。おむつ１は、着用者の腹側から股間部を介して背側に延びる縦方向Ｘとこれに直交する横方向Ｙとを有すると共に、着用者の腹側に配される腹側部Ａ及び背側に配される背側部Ｃ並びにそれらの間に位置する股下部Ｂとを有し、腹側部Ａ及び背側部Ｃそれぞれの縦方向Ｘに沿う両側縁部ＡＳ，ＣＳどうしが、接着剤、ヒートシール、超音波シール等の公知の接合手段によって互いに接合されて、図１に示すように、一対のサイドシール部Ｓ，Ｓ、並びに着用者の胴が通されるウエスト開口部ＷＨ、及び着用者の下肢が通される一対のレッグ開口部ＬＨ，ＬＨが形成されている。
【００１２】
おむつ１は、吸収体２３を含む吸収性本体２を横方向Ｙの中央部に備えると共に、該吸
収性本体２の非肌対向面側即ち該吸収性本体２よりも着用者の身体から遠い側に配された外装体３を備える。図２に示す如き展開且つ伸長状態のおむつ１の外形を形作っており、外装体３の周縁は、その状態のおむつ１の輪郭線、即ち腹側部Ａ、股下部Ｂ及び背側部Ｃそれぞれの輪郭線を形成している。外装体３は、図２に示すように、腹側部Ａ及び背側部Ｃにおいては、縦方向Ｘよりも横方向Ｙの長さが長い矩形形状をなし、腹側部Ａと背側部Ｃとの間に位置する股下部Ｂにおいては、外装体３の縦方向Ｘに沿う両側縁部即ち一対のレッグ縁部ＬＳ，ＬＳが横方向Ｙの中央に向かって凸の円弧状に湾曲しており、図２に示す如き平面視において、縦方向Ｘの中央域が横方向Ｙの内方に向けて括れた砂時計状をなしている。
【００１３】
吸収性本体２は、図２に示す如きおむつ１の展開且つ伸長状態において、平面視長方形形状をなし、腹側部Ａから背側部Ｃにわたって縦方向Ｘに延在しており、その長手方向を展開且つ伸長状態におけるおむつ１の縦方向Ｘに一致させて、外装体３の横方向Ｙの中央部に配置され、接着剤により外装体３に接合されている。おむつ１の「展開且つ伸長状態」とは、おむつ１をサイドシール部Ｓで切り離して展開状態とし、その展開状態のおむつ１を各部の弾性部材を伸長させて設計寸法（弾性部材の影響を一切排除した状態で平面状に広げたときの寸法と同じ）となるまで拡げた状態をいう。
【００１４】
吸収性本体２は、図２及び図３に示すように、肌対向面を形成する液透過性の表面シート２１、非肌対向面を形成する液不透過性若しくは液難透過性又は撥水性の裏面シート２２、及び両シート２１，２２間に介在配置された液保持性の吸収体２３を具備しており、これらが接着剤等の公知の接合手段により一体化されて構成されている。また、吸収性本体２の肌対向面即ち表面シート２１の外表面における縦方向Ｘに沿う左右両側部には、液抵抗性又は撥水性で且つ通気性の防漏カフ形成用シートから構成された一対の防漏カフ２４，２４が設けられている。各防漏カフ２４の自由端部の近傍には糸状の防漏カフ形成用弾性部材（図示せず）が１本以上縦方向Ｘに伸長状態で配されており、この弾性部材がおむつ１の着用時に収縮することによって少なくとも股下部Ｂで起立し、それによって尿等の排泄液の横方向Ｙの外方への流出を阻止する。
【００１５】
本明細書において、「肌対向面」は、着用物品又はその構成部材（例えば外装体３）における、着用物品の着用時に着用者の肌側に向けられる面、即ち相対的に着用者の肌に近い側であり、「非肌対向面」は、着用物品又はその構成部材における、着用物品の着用時に肌側とは反対側（着衣側）に向けられる面、即ち相対的に着用者の肌から遠い側である。尚、ここでいう「着用時」は、通常の適正な着用位置、即ち当該着用物品の正しい着用位置が維持された状態を意味し、着用物品が該着用位置からずれた状態にある場合は含まない。
【００１６】
表面シート２１及び裏面シート２２としては、それぞれ、この種の吸収性物品に従来用いられている各種のものを特に制限なく用いることができる。例えば、表面シート２１としては各種の不織布や開孔フィルム等を用いることができ、裏面シート２２としては樹脂フィルムや、樹脂フィルムと不織布等とのラミネート等を用いることができる。吸収体２３としては、吸水性ポリマーの粒子及びパルプ繊維等の繊維材料の少なくとも１種を含んで構成される、液保持性の吸収性コアを用いることができ、この吸収性コアは、紙、不織布等からなるコアラップシートで被覆されていても良い。防漏カフ２４を構成する防漏カフ形成用シートとしては、裏面シート２２として使用可能なものを用いることができる。
【００１７】
外装体３は、図１〜図３に示すように、着用状態においておむつ１の外表面即ち非肌対向面を形成する外層シート３１と、外層シート３１の肌対向面に対向配置された内層シート３２との積層体を含んで構成されている。おむつ１の着用状態において、外層シート３１は着用者の身体から遠い側に位置して、おむつ１の非肌対向面（外表面）を形成し、内
層シート３２は着用者の身体に近い側に位置して、おむつ１の肌対向面（内表面）を形成する。外層シート３１と内層シート３２とは、所定の部位において接着剤等の接合手段を介して互いに接合されている。外層シート３１は、図３に示すように、腹側部Ａ及び背側部Ｃに、内層シート３２の縦方向Ｘの端縁から延出し、内層シート３２の肌対向面側に折り返される折り返し部３１Ｅを有し、該折り返し部３１Ｅは、図２に示すように、吸収性本体２の縦方向Ｘの端部を被覆している。
【００１８】
本実施形態においては、図３に示すように、内層シート３２は１枚の連続したシートから構成されているのに対し、外層シート３１は複数枚のシートが組み合わされて構成されており、具体的には、腹側部Ａを構成する腹側外層シート３１Ａと、背側部Ｃを構成する背側外層シート３１Ｃと、両シート３１Ａ，３１Ｃ間に位置して股下部Ｂを構成する股下外層シート３１Ｂとを含んで構成されている。外層シート３１を構成する各シート３１Ａ，３１Ｂ，３１Ｃは、それらの縦方向Ｘの端部どうしが重ね合わされ、その重ね合わせ部分において接着剤、ヒートシール、高周波シール、超音波シール等の公知の接合手段によって互いに接合され一体化されている。シート３１Ａ，３１Ｃとシート３１Ｂとの重ね合わせ部分においては、それぞれ、縦方向Ｘの中央に位置するシート３１Ｂが吸収性本体２から相対的に近い側に位置し、シート３１Ｂの縦方向Ｘの両端部の非肌対向面はシート３１Ａ，３１Ｃで被覆されている。
【００１９】
外装体３を構成するシート３１（３１Ａ，３１Ｂ，３１Ｃ），３２は、互いに同種のシートでも良く、あるいは異種のシートでも良く、後者の例として、伸縮性が互いに異なる形態が挙げられる。具体的には例えば、腹側外層シート３１Ａ及び背側外層シート３１Ｃとしては、横方向Ｙに伸縮性を有する伸縮シートを用い、外層シート３１の残りの部分即ち股下外層シート３１Ｂ及び内層シート３２は、伸縮性を有していない非伸縮シートを用いることができる。外装体３として使用可能な伸縮シートとしては、例えば、弾性繊維層の両面又は片面に伸長可能な繊維層が一体化されている伸縮シートが挙げられ、弾性繊維層と伸長可能な繊維層との一体化の方法としては、例えば、両者を積層して水流交絡する方法、エアスルー等により繊維を交絡させる方法、ヒートエンボス、接着剤、超音波等によって接合させる方法が挙げられる。また、外装体３として使用可能な非伸縮シートとしては、例えば、各種製法による不織布が挙げられ、具体的にはスパンボンド不織布、エアスルー不織布、ニードルパンチ不織布を例示できる。
【００２０】
図１〜図３に示すように、腹側部Ａ及び背側部Ｃそれぞれには、糸状又は帯状の胴周り弾性部材３３が横方向Ｙに伸長状態で複数本配され、それら複数本の胴周り弾性部材３３は縦方向Ｘに所定間隔を置いて間欠配置されている。このように、胴周り弾性部材３３がその弾性伸縮性が発現される状態で配されていることにより、ウエスト開口部ＷＨの開口縁部には、その全周にわたって実質的に連続した環状のウエストギャザーが形成される。また、一対のレッグ開口部ＬＨ，ＬＨそれぞれの開口縁部を形成するレッグ縁部ＬＳには、糸状又は帯状の１本又は複数本のレッグギャザー形成用のレッグ弾性部材３４が伸長状態で配されており、これによって一対のレッグ開口部ＬＨ，ＬＨそれぞれの開口縁部には、その全周にわたって実質的に連続した環状のレッグギャザーが形成される。これらの弾性部材３３，３４は、何れも外装体３を構成する外層シート３１と内層シート３２との間に接着剤等の接合手段により挟持固定されている。
【００２１】
おむつ１の主たる特徴の１つとして、ウエスト開口部ＷＨの開口縁部を含む、腹側部Ａ又は背側部Ｃにおける着用者の腰周りに対応するウエスト域１０の外表面又は内表面に香料を含む点が挙げられる。ここでいう香料は、大気圧下で香気成分を大気中に揮散し得る物質である。ウエスト域１０は、図２に示すように、腹側部Ａ及び背側部Ｃそれぞれの縦方向Ｘの端部（ウエスト端部）１１から１００ｍ以内の領域（あるいは外装体３の縦方向Ｘの全長の２０％以内の領域）である。
【００２２】
ウエスト域１０は通常、おむつ１の交換作業を行う者の顔と相対する部位であり、その交換作業において作業者の鼻に最も近い部位の１つとなり得る部位であるところ、そのような作業者の鼻の近くに存するウエスト域１０に、大気圧下で香気成分を大気中に揮散し得る香料が含まれていることにより、そのウエスト域１０を上げ下げした際に、ウエスト域１０に予め含まれていた香料の香気成分が揮散し、交換作業を行う者の鼻に到達する。このとき、おむつ１の吸収体２３には尿などの排泄物が吸収保持されていることに伴い、その排泄物由来の不快な臭気が股下部Ｂを主な臭気源として周辺に発生しているが、ウエスト域１０に施されている香料の香気の方がその臭気よりも先に交換作業を行う者の鼻に到達し、その香気成分が該鼻における臭気の嗅覚受容体を抑えるので、その者にとっては不快な臭気が低減された状態となり、おむつ１の交換作業を気分よく行うことが可能となる。
【００２３】
香料は、ウエスト域１０の外表面即ち非肌対向面に含まれていても良く、ウエスト域１０の内表面即ち肌対向面に含まれていても良く、これら両面に含まれていても良いが、特に、着用者の肌と接触し得る部位であるウエスト域１０の内表面に香料が含まれていると、おむつ１の上げ下げの際にその内表面と肌とが擦れたときに香料が揮散しやすく、臭気の低減効果のより一層の向上が期待できる。
【００２４】
本実施形態においては、ウエスト域１０の外表面は、腹側部Ａでは腹側外層シート３１Ａの外表面即ち非肌対向面であり、背側部Ｃでは背側外層シート３１Ｃの外表面即ち非肌対向面であるから、ウエスト域１０の外表面に香料を配する場合は、両シート３１Ａ，３１Ｃの何れか一方又は両方に香料を付与すれば良い。また本実施形態においては、ウエスト域１０の内表面は、少なくとも外層シート３１の折り返し部３１Ｅを含み、該折り返し部３１の縦方向Ｘの長さ如何によってはさらに、該折り返し部３１Ｅよりも縦方向Ｘの内方に位置する部分が含まれるから、ウエスト域１０の内表面に香料を配する場合は、少なくとも該折り返し部３１Ｅに香料を付与し、さらに必要に応じ、該折り返し部３１Ｅよりも縦方向Ｘの内方に位置する部分、より具体的には、内層シート３２及び／又は吸収性本体２の肌対向面を構成する部材（表面シート２１、防漏カフ２４）に香料を付与すれば良い。香料は、ウエスト域１０の外表面又は内表面の全域に配しても良く、一部のみに配しても良い。ウエスト域１０の外表面又は内表面の一部のみに香料を配する場合は、例えばウエスト域の横方向Ｙの中央部に香料を配することができる。
【００２５】
香料をウエスト域１０の外表面又は内表面に配する方法は特に制限されず、通常は、常温で液状の香料又は該香料を適当な溶媒に溶解して調製した香料含有液を、ウエスト域１０の外表面又は内表面の形成部材である外装体３（外層シート３１、内層シート３２）に付与することで行うことができ、その付与方法としては例えば、公知の塗布手段による塗布、スプレーによる噴霧などが挙げられる。ウエスト域１０に施される香料の量は、使用する香料の種類等に応じて適宜調整すれば良い。
【００２６】
また一般に、おむつ１の交換作業を行う者は、着用者の後側に位置する背側部Ｃと相対する姿勢をとる場合よりも、着用者の前側に位置する腹側部Ａと相対する姿勢をとる場合が多い。この点を考慮し、交換作業を行う者の鼻に排泄物の臭気に先んじて香料の香気を到達し得るようにする観点から、香料は、少なくとも腹側部Ａのウエスト域１０に配することが好ましい。おむつ１において最も好ましい香料の配置部位は、腹側部Ａにおけるウエスト域１０の内表面であり、少なくとも斯かる部位に香料を配することが好ましい。
【００２７】
本発明で用いる香料としては、大気圧下で香気成分を大気中に揮散し得るものであれば良く、常温常圧の環境下でその香気を知覚し得る通常の香料を特に制限なく用いることができ、使い捨ておむつなどの吸収性物品において従来用いられてきたものを用いることが
できる。香料としては例えば、沸点が約２５０℃以下の高揮発性香料成分、又は沸点が約２５０〜約３００℃の中揮発性香料成分が好ましく用いられる。
【００２８】
前記高揮発性香料成分としては、例えばアニソール、ベンズアルデヒド、酢酸ベンジル、ベンジルアルコール、ギ酸ベンジル、酢酸イソボルニル、シトロネラール、シトロネロール、酢酸シトロネリル、パラシメン、デカナール、ジヒドロリナロール、ジヒドロミルセノール、ジメチルフェニルカルビノール、ユーカリプトール、１−カルボン、ゲラニアール、ゲラニオール、酢酸ゲラニル、ゲラニルニトリル、酢酸ネリル、酢酸ノニル、リナロール、エチルリナロール、酢酸リナリル、フェニルエチルアルコール、α−ピネン、β−ピネン、γ−ピネン、α−ヨノン、β−ヨノン、γ−ヨノン、α−テルピネオール、β−テルピネオール、酢酸テルピニル、テンタローム等が挙げられ、これらの１種を単独で又は２種以上を組み合わせて用いることができる。
【００２９】
前記中揮発性香料成分としては、例えばアミルシンナムアルデヒド、ジヒドロジャスモン酸メチル、サリチル酸イソアミル、β−カリオフィレン、セドレン、セドリルメチルエーテル、桂皮アルコール、クマリン、ジメチルベンジルカルビニルアセテート、イソオイゲノール、γ−メチルヨノン、ヘリオトロピン、サリチル酸ヘキシル、サリチル酸シス−３−ヘキセニル、フェニルヘキサノール、ペンタライド等が挙げられ、これらの１種を単独で又は２種以上を組み合わせて用いることができる。
【００３０】
本発明で用いる香料としては、前述の高揮発性及び中揮発性香料成分以外に、あるいはこれら香料成分に加えて更に、バラ香調、ラベンダー香調、ジャスミン香調、イランイラン香調を有する香料を含有した香料組成物を用いることもできる。斯かる香料組成物としては、例えば、ネロール、ラバンジュロール、ジャスマール、シクロピデン等が挙げられ、これらの１種を単独で又は２種以上を組み合わせて用いることができる。本発明で用いる香料には、前述した香料素材単体、及び天然精油や調合ベースのように、「複数の香料によって構成される香料素材が組み合わされたもの（香料組成物）で、溶剤によって希釈・調整されたもの」が含まれる。例えば、香料として、バラ、ラベンダー、ジャスミン、イランイラン様香気を有する香料を含有する香料組成物を用いることができる。
【００３１】
特に、香料は、尿臭成分に起因するヒトの嗅覚受容体の活性化を阻害する物質（以下、この物質のことを「アンタゴニスト香料」とも言う。）を含むことが好ましい。アンタゴニストとは、結合部位を奪い合うことで作用を阻害する競合的拮抗薬のことであり、アンタゴニスト香料とは、図４（ａ）に示す通り、結合部位が嗅覚受容体２０である場合に、目的の臭い分子２１が嗅覚受容体２０に結合して該受容体２０が活性化して臭い情報が伝達されるときに、図４（ｂ）に示す通り、目的の臭い分子２１と他の分子２２をともに適用することにより、当該他の分子２２によって目的の臭い分子２１に対する受容体の活性化を阻害し、結果的に個体に認識される臭いを抑制するために用いられる当該他の分子のことである。つまり、アンタゴニスト香料を用いることで、嗅覚受容体アンタゴニズムによる臭いの抑制を達成することができる。このように、アンタゴニスト香料を用いることで、該アンタゴニスト香料自体の香気が強くなくても、高い尿臭の抑制効果が発現する。
【００３２】
嗅覚受容体アンタゴニズムによる臭いの抑制は、同様に他の分子を用いる手段であっても、芳香剤による消臭のように、目的の臭いを香料の香気によって隠蔽（マスキング）する手段とは区別される。嗅覚受容体アンタゴニズムによる臭いの抑制の一例は、アンタゴニスト等の嗅覚受容体の活性化を阻害する物質を使用するケースである。特定の臭いをもたらす臭い分子の受容体にその活性化を阻害する物質を適用すれば、当該受容体の当該臭い分子に対する活性化が阻害されるため、最終的に個体に知覚される臭いを抑制することができる。
【００３３】
尿臭成分としては、ｐ−クレゾール及び２−メトキシ−４−ビニルフェノールが代表的なものとして知られている。これらの物質の臭いを嗅覚受容体アンタゴニズムによって抑制することが、効果的な臭気の抑制の点から好ましい。ｐ−クレゾール及び２−メトキシ−４−ビニルフェノールは、放尿又は採尿後時間が経った尿又は飛び散って乾燥した尿から発せられる臭い、あるいは使用後放置した吸収性物品から発せられる尿の臭いの代表的なものである。
【００３４】
本明細書において、「尿臭」とは、好適には、放尿又は採尿後時間が経った尿から発せられる臭いである。例えば、本明細書における「尿臭」は、飛び散って乾燥した尿の臭い又は使用後放置した吸収性物品から発する尿の臭いであり得る。また好適には、本明細書における 「尿臭」 は、βグルクロニダーゼ処理された尿又はその抽出物の臭いである。
【００３５】
特に、アンタゴニスト香料は、ヒトの嗅覚受容体としてのＯＲ９Ｑ２、ＯＲ１０Ｇ４、ＯＲ１０Ｇ７及びＯＲ２Ｗ１のいずれかの活性化を阻害する物質であることが好ましい。これによって尿臭成分に対する活性が一層抑制され、最終的に個体に知覚される臭いを更に一層抑制することができる。これらの嗅覚受容体のうち、ＯＲ９Ｑ２又はＯＲ２Ｗ１にアンタゴニスト香料を適用することで、ｐ−クレゾールに対して特異的に臭いの抑制効果が発揮される。また、ＯＲ１０Ｇ４又はＯＲ１０Ｇ７にアンタゴニスト香料を適用することで、２−メトキシ−４−ビニルフェノールに対して特異的に臭いの抑制効果が発揮される。
【００３６】
本発明において、特に好ましく用いられるアンタゴニスト香料としては、例えばＯＲ９Ｑ２に結合し得る以下の化合物が挙げられる。これらの化合物は１種を単独で、又は２種以上を組み合わせて用いることができる。
・３−（４−ｔｅｒｔ−ブチルフェニル）プロパナール（Ｂｏｕｒｇｅｏｎａｌ）
・３，７，１１−トリメチルドデカ−１，６，１０−トリエン−３−オール（Ｎｅｒｏｌｉｄｏｌ）
・メチルセドリルケトン（１−［（１Ｓ，２Ｒ，５Ｒ，７Ｓ）−２，６，６，８−ｔｅｔｒａｍｅｔｈｙｌｔｒｉｃｙｃｌｏ［５．３．１．０１，５］ｕｎｄｅｃ−８−ｅｎ−９−
ｙｌ］ｅｔｈａｎｏｎｅ；Ａｃｅｔｙｌ ｃｅｄｒｅｎｅ）
・１−（２−ｔｅｒｔ−ブチルシクロヘキシル）オキシブタン−２−オール（Ａｍｂｅｒｃｏｒｅ）
・２，２，７，７−テトラメチルトリシクロ［６．２．１．０１，６］ウンデカン−５−オ
ン（ｉｓｏ−Ｌｏｎｇｉｆｏｌａｎｏｎｅ）
【００３７】
本発明においてアンタゴニスト香料として、ＯＲ２Ｗ１に結合し得る以下の化合物も好ましく挙げられる。
・（３Ｒ，３ａＳ，６Ｓ，７Ｒ，８ａＳ）−Ｏｃｔａｈｙｄｒｏ−６−ｍｅｔｈｏｘｙ−３，６，８，８，−ｔｅｔｒａｍｅｔｈｙｌ−１Ｈ−３ａ，７−ｍｅｔｈａｎｏａｚｕｌｅｎｅ（Ｍｅｔｈｙｌ  Ｃｅｄｒｙｌ  Ｅｔｈｅｒ）
【００３８】
本発明においてアンタゴニスト香料として、ＯＲ１０Ｇ４に結合し得る以下の化合物も好ましく挙げられる。
・５−メチル−２−（１−メチルエチル）−フェノール（Ｔｈｙｍｏｌ）
【００３９】
本発明においてアンタゴニスト香料として、ＯＲ１０Ｇ７に結合し得る以下の化合物も好ましく挙げられる。
・２−メチルウンデカナール（Ａｌｄｅｈｙｄｅ  Ｃ−１２  ＭＮＡ）
・Ｂｅｎｚｏｉｎ  Ｓｉａｍ
【００４０】
前述したＯＲ９Ｑ２アンタゴニスト香料、ＯＲ２Ｗ１アンタゴニスト香料、ＯＲ１０Ｇ４アンタゴニスト香料及びＯＲ１０Ｇ７アンタゴニスト香料は、これまで香料素材として知られていたが、これらの嗅覚受容体に対するアンタゴニスト作用を有することや、ｐ−クレゾール臭を始めとする尿臭を選択的に抑制する機能があることは知られていなかった。
本発明で用いる香料、即ちパンツ型着用物品におけるウエスト域に含まれる香料は、前述した化合物（ヒトの特定の嗅覚受容体に結合し得る化合物）より選択される少なくとも１種を有効成分とするアンタゴニスト香料であることが好ましい。
【００４１】
前述した各種の嗅覚受容体に対するアンタゴニスト香料は、いずれも市販のものを購入して使用することができる（「合成香料  化学と商品知識」増補改訂版、印藤元一著、化学工業日報社、 ２００５年３月発行を参照）。例えば、ＯＲ９Ｑ２アンタゴニスト香料
は、Ｆｉｒｍｅｎｉｃｈ  Ｓ．  Ａ．，Ｇｉｖａｕｄａｎ  Ｓ． Ａ．，Ｉｎｔｅｒｎａ
ｔｉｏｎａｌ  Ｆｌａｖｏｒｓ  ＆  Ｆｒａｇｒａｎｃｅｓ  Ｉｎｃ．，ＳＩＧＭＡ−ＡＬＤＲＩＣＨ  Ｃｏｒｐｏｒａｔｉｏｎ、高砂香料工業株式会社、花王株式会社などから入手することが可能である。あるいは、化学合成によって、該市販品と同一物質又はそれを含む組成物を製造することが可能である。
【００４２】
また、本発明のパンツ型着用物品において、香料の含有量は特に制限されず、所望の消臭性能や吸収性能等に応じて適宜設定することができる。例えば、パンツ型着用物品１枚当たり０．５ｍｇ〜１００ｍｇの香料を含むことができる。 特に、香料としてアンタゴ
ニスト香料を用いることは、そのアンタゴニスト香料の含有量を０．１ｍｇ〜５０ｍｇ程度の比較的少ない含有量としても、十分な尿臭抑制効果が得られる点で好ましい。
【００４３】
以上、本発明をその実施形態に基づいて説明したが、本発明は、前記実施形態に制限されることなく適宜変更が可能である。
例えば、パンツ型使い捨ておむつ１においては、外層シート３１が内層シート３２の肌対向面側に折り返され、その折り返し部３１Ｅがウエスト域１０の内表面を形成していたが、このような外層シート３１の折り返しはなくても良く、その場合、香料が施され得る、ウエスト域１０の内表面は、少なくとも内層シート３２の肌対向面を含む。
また、パンツ型使い捨ておむつ１における外装体３は、図２に示すように、腹側部Ａと背側部Ｃとで分割されずに、腹側部Ａ、股下部Ｂ及び背側部Ｃにわたる砂時計状等の連続した形状を有していたが、外装体はこのような連続した形状に制限されず、例えば、着用者の腹側（前側）に配される腹側シート部材と、着用者の背側（後側）に配される背側シート部材とに分割されており、吸収性本体がこれら両シート部材に架け渡して固定されていても良い。
【００４４】
また、吸収性や防漏性等の向上の観点から、表面シート２１と吸収体２３との間に、各種不織布からなる液透過性シートが介在配置されていても良い。同様の観点から、吸収性本体２の肌対向面に、表面シート２１及び吸収体２３が一体的に圧密化されてなる溝が形成されていても良い。本発明は、パンツ型使い捨ておむつ以外の他のパンツ型着用物品、例えば、生理用ショーツ、ショーツ型ナプキンなどの、パンツ型の構造を有する吸収性物品一般に適用可能であり、乳幼児用のものであっても、成人用のものであっても良い。前述した一の実施形態のみが有する部分は、すべて適宜相互に利用できる。
【符号の説明】
【００４５】
１  パンツ型使い捨ておむつ（パンツ型着用物品）
２  吸収性本体
２１  表面シート
２２  裏面シート
２３  吸収体
３  外装体
３１  外層シート
３１Ｅ  外層シートの折り返し部
３２  内層シート
１０  ウエスト域
１１  ウエスト端部
Ａ  腹側部
Ｂ  股下部
Ｃ  背側部
ＷＨ  ウエスト開口部
Ｘ  縦方向
Ｙ  横方向
【図１】
2018102612.tif 000003
【図２】
2018102612.tif 000004
【図３】
2018102612.tif 000005
【図４】
2018102612.tif 000006